(57)【要約】      （修正有）【課題】ゴミを収集する機能を保つとともに、細かい塵埃と不愉快な臭いも水フィルタによって浄化する。【解決手段】密封した容器ｃのなかに一定量の水ｄ−３を注入し、その一端ａは掃除用アタッチメントなどに繋ぎ、もう一端ｅは空気吸引機などを装着し、ａの部分にゴミ収集袋ｂ−２を内蔵した空気導入管ｂを装着し、この空気導入管ｂを水ｄ−３のなかに挿入した状態にし、吸込まれたゴミを同空気導入管ｂ内部に備え付けたゴミ収集袋ｂ−２によって収集する一方、汚れた空気を空気導入管ｂ底部の通気孔ｂ−５を通して水ｄ−３のなかにさらに導入し、水との接触によって浄化する。【選択図】図１
2005218827.tif 000002
【特許請求の範囲】
【請求項１】
出口ａとｅの両端を有する密封した容器のなかに一定量の水ｄ−３を注入し、その一端ａの部分は本体と掃除用アタッチメントに着脱できる仕組みになっており、この下に空気導入管ｂを装着し、もう一端ｅの部分は空気吸引機を備え付け、この吸引機によって空気とゴミをまず空気導入管ｂ内に吸込み、ゴミはこの空気導入管ｂ内に備え付けたゴミ収集袋ｂ−２によって収集され、空気は空気導入管によって水ｄ−３のなかに導入され、水との接触によって浄化され、最終的に空気吸引機のファンｅ−２を通して容器外へ排出されることを特徴とするゴミ収集及び空気浄化装置。
【請求項２】
容器内に吸込まれた空気は水で濾過される際、なるべく水との接触度を高めるため、水面から４５度前後に斜めに固着した通路の壁に破水板ｄ−２を固着したことを特徴とするゴミ収集及び空気浄化装置。
【請求項３】
本装置の容器内に給水するために容器の上部に給水蛇口ｃ−３を、排水するために下部に排水蛇口ｃ−４を、容器外の気温を下げるために開閉できる氷の投入口ｃ−５を、容器内の水の量を観測するためにのぞき窓ｃ−６を、電源コード及び小物を入れるために格納庫ｃ−７を、移動するために車輪ｃ−８を、排出する空気を最終的に濾過するために着脱洗濯できるスポンジフィルタｅ−３を、それぞれ設置したことを特徴とするゴミ収集及び空気浄化装置。
【発明の詳細な説明】
【技術分野】
【産業上の利用分野】
【０００１】  本発明は、ゴミを収集し、排気を浄化するため、水をフィルタとして利用する空気浄化装置に関する。
【背景技術】
【０００２】  ゴミを収集する電気集塵機（掃除機）及び空気浄化機などは、紙などの固体フィルタを利用するので、微小な塵埃は完全に除去できず、また微生物などがフィルタに繁殖して不愉快な臭いなどを空気中に散布してしまうことがある上、フィルタの交換などはコストが高い。
【発明の開示】
【発明が解決しようとする課題】
【０００３】  本発明は、水をフィルタとして利用し、ゴミを収集する一方、排出する空気を浄化し、また加湿、加冷の機能を加えることによって、ゴミ収集及び空気環境を改善し、さらに水の利用によって浄化装置の低コスト化を図る。
【課題を解決するための手段】
【０００４】  そこで本発明は、出口ａとｅの両端を有する密封した容器ｃのなかに一定量の水ｄ−３を注入し、その一端ａの部分は掃除用アタッチメントと本体に着脱できる仕組みになっており、もう一端ｅの部分は空気吸引機などを備え付ける。ａの部分に空気導入管ｂを備え付ける。この空気導入管の底部は一定量の水のなかに挿入されており、空気導入管ｂに吸込まれたゴミはこの空気導入管内部に備え付けたゴミ収集袋によって収集される一方、汚れた空気は空気導入管底部の通気孔ｂ−５を通って容器内部の水ｄ−３のなかに吸込まれ、ここで水との接触によって浄化され、最終的に空気吸引機のファンｅ−２によって容器の外部へ排出される。容器内に吸込まれた空気は、水で濾過される際、なるべく水との接触度を高めるため、水面から約４５度前後斜めに固着した空気濾過通路の内壁に破水板ｄ−２を固着する。空気が容器外に排出される手前に着脱洗濯できるスポンジフィルタを設置し、最終濾過の役割を果たす。なお、本装置の容器内に給水するために容器の上部に給水蛇口ｃ−３を、排水するために下部に排水蛇口ｃ−４を、容器外の気温を下げるために開閉できる氷の投入口ｃ−５を、容器内の水の量を観測するためにのぞき窓ｃ−６を、電源コード及び小物を入れるために格納庫ｃ−７を、移動するために車輪ｃ−８を、排出する空気を最終的に濾過するために着脱洗濯できるスポンジフィルタｅ−３を、それぞれ設置した。
【発明の効果】
【０００５】  本発明はゴミを収集袋で収集する一方、水をフィルタとして排出空気をさらに濾過、浄化することにより、よりきれいな、潤いのある空気が得られる一方、液体及び液体を混ぜたゴミの収集、タバコの吸殻の収集、排塵、排気ガスの浄化などにも利用できる上、水をフィルタとして利用するので、浄化コストの削減も期待できる。
【発明を実施するための最良の形態】
【０００６】
【０００７】  出口ａとｅの両端を有する密封した容器のなかに一定量の水ｄ−３を注入し、その一端ａの部分は掃除用アタッチメントと本体に着脱できる仕組みになっており、もう一端ｅの部分は空気吸引機などを備え付ける。ａの部分に空気導入管ｂを備え付け、これを水のなかに挿入する。空気導入管ｂに吸込まれたゴミはこの空気導入管内部に備え付けたゴミ収集袋によって収集される一方、汚れた空気は空気導入管底部の通気孔ｂ−５を通って容器内部の水ｄ−３のなかに吸込まれ、水との接触によって浄化され、最終的に空気吸引機のファンによって容器の外部へ排出される。なお、容器内に吸込まれた空気は、水で濾過される際、なるべく水との接触度を高めるため、水面から約４５度前後斜めに固着した空気通路の内壁に破水板ｄ−２を固着する。空気は容器外に排出される手前に設置した着脱洗濯できるスポンジフィルタによって、最終濾過を受けてから容器外へ排出される。さらに本装置の容器内に給水するために容器の上部に給水蛇口ｃ−３を、排水するために下部に排水蛇口ｃ−４を、容器外の気温を下げるために開閉できる氷の投入口ｃ−５を、容器内の水の量を観測するためにのぞき窓ｃ−６を、電源コード及び小物を入れるために格納庫ｃ−７を、移動するために車輪ｃ−８を、排出する空気を最終的に濾過するために着脱洗濯できるスポンジフィルタｅ−３を、それぞれ設置した。濾過され、浄化された、潤いのある、クリーンで爽やかな空気は空気吸引機を通して容器の外に排出される。
【実施例】
【０００８】  空気導入管は水量の上限下限目盛の範囲内に注入した水のなかに挿入される。この水の量は上限下限を逸脱した場合、または汚れた水を交換したりする場合、下部の排水蛇口と上部の注水蛇口を利用して水を増減し、交換する。空気導入管内部に備えたゴミ収集袋に溜めたゴミは容器ａの部分をはずして処理する。空気は着脱洗濯可能のスポンジフィルタを通る際、さらに濾過されて排出され、浄化効果をあげる。
【産業上の利用可能性】
【０００９】  構造上単純で、製造しやすく、使用も簡単であるので、一般家庭用掃除機としても、または公共場所、作業現場など、空気を浄化する必要のある場所での空気浄化装置として利用することもできる。なお、液体も収集できるので、作業の効率化及び環境の改善に寄与できると考えられる。
【図面の簡単な説明】
【００１０】
【図１】  装置全体を示した断面概観図
【図２】  空気導入管を示した概観図
【符号の説明】
【００１１】  ａ      ゴミと空気の吸入口及び掃除アタッチメントと接続する部分
ａ−１  掃除機のアタッチメントと接続する
ａ−２  容器の本体と接続する
ｂ      ゴミ収集袋を備えた空気導入管
ｂ−１  ゴミ収集袋を設置する段差
ｂ−２  ゴミ収集袋
ｂ−３  上限水位
ｂ−４  下限水位
ｂ−５  空気通過孔
ｂ−６  空気導入管の滑り止め
ｂ−７  ゴミ収集袋の滑り止め
ｃ      容器全体
ｃ−１  空気導入管を装着する部分
ｃ−２  容器の取手
ｃ−３  注水口
ｃ−４  排水口
ｃ−５  氷の投入口
ｃ−６  水量観測窓
ｃ−７  電源コードなどの小物入れ
ｃ−８  移動用車輪
ｄ      空気浄化通路
ｄ−１  スポンジフィルタ止め具
ｄ−２  破水板
ｄ−３  容器に注入した濾過用水
ｅ      空気排出部
ｅ−１  空気吸引機モータ
ｅ−２  空気吸引機ファン（空気の排出口）
ｅ−３  スポンジフィルタ
【図１】
2005218827.tif 000003
【図２】
2005218827.tif 000004